(57)【特許請求の範囲】
【請求項１】
物体側から順に、正のパワーを有する第１レンズ群と、正のパワーを有する第２レンズ群と、第３レンズ群とからなり、
フォーカシングに際して、前記第１レンズ群及び第３レンズ群が像面に対して位置固定であり、前記第２レンズ群が移動し、
前記第１レンズ群において、その全長の半分の位置より像側に位置する軸上レンズ面間隔のうち最も長い空気間隔を境界として、前記第１レンズ群を２つのレンズ群に分けたとき、その物体側のレンズ群を前群とし、像側のレンズ群を後群とすると、前記前群において最も像側の面が像側に凹のレンズ面であり、前記後群において最も像側の面が像側に凹のレンズ面であり、
前記第１レンズ群内に絞りを有し、
以下の条件式（１）〜（４）を満足することを特徴とする撮像レンズ；
０．２＜Ｐ１／Ｐ＜０．６  …（１）
０．３＜Ｐ１／Ｐ２＜０．９  …（２）
０．０３＜ｔ１／ｔ＜０．１  …（３）
０．０５＜ｔ２／ｔ＜０．１４  …（４）
ただし、
Ｐ１：第１レンズ群のパワー、
Ｐ２：第２レンズ群のパワー、
Ｐ：全系のパワー、
ｔ１：第１レンズ群において、その全長の半分の位置より像側に位置する軸上レンズ面間隔のうち最も長い空気間隔、
ｔ２：無限遠物体距離状態における第１レンズ群と第２レンズ群との空気間隔、
ｔ：撮像レンズの全長、
である。
【請求項２】
物体側から順に、正のパワーを有する第１レンズ群と、正のパワーを有する第２レンズ群と、第３レンズ群とからなり、
フォーカシングに際して、前記第１レンズ群及び第３レンズ群が像面に対して位置固定であり、前記第２レンズ群が移動し、
前記第１レンズ群において、その全長の半分の位置より像側に位置する軸上レンズ面間隔のうち最も長い空気間隔を境界として、前記第１レンズ群を２つのレンズ群に分けたとき、その物体側のレンズ群を前群とし、像側のレンズ群を後群とすると、前記前群において最も像側の面が像側に凹のレンズ面であり、前記後群において最も像側の面が像側に凹のレンズ面であり、
以下の条件式（１）〜（４）を満足し、
前記第１レンズ群中の正のパワーを有するレンズのうち少なくとも１枚が以下の条件式（６）を満足することを特徴とする撮像レンズ；
０．２＜Ｐ１／Ｐ＜０．６  …（１）
０．３＜Ｐ１／Ｐ２＜０．９  …（２）
０．０３＜ｔ１／ｔ＜０．１  …（３）
０．０５＜ｔ２／ｔ＜０．１４  …（４）
νｄ＞５５  …（６）
ただし、
Ｐ１：第１レンズ群のパワー、
Ｐ２：第２レンズ群のパワー、
Ｐ：全系のパワー、
ｔ１：第１レンズ群において、その全長の半分の位置より像側に位置する軸上レンズ面間隔のうち最も長い空気間隔、
ｔ２：無限遠物体距離状態における第１レンズ群と第２レンズ群との空気間隔、
ｔ：撮像レンズの全長、
νｄ：ｄ線に関するアッべ数、
である。
【請求項３】
物体側から順に、正のパワーを有する第１レンズ群と、正のパワーを有する第２レンズ群と、第３レンズ群とからなり、
フォーカシングに際して、前記第１レンズ群及び第３レンズ群が像面に対して位置固定であり、前記第２レンズ群が移動し、
前記第１レンズ群において、その全長の半分の位置より像側に位置する軸上レンズ面間隔のうち最も長い空気間隔を境界として、前記第１レンズ群を２つのレンズ群に分けたとき、その物体側のレンズ群を前群とし、像側のレンズ群を後群とすると、前記前群において最も像側の面が像側に凹のレンズ面であり、前記後群において最も像側の面が像側に凹のレンズ面であり、
前記第２レンズ群が、物体側から順に正レンズと負レンズと正レンズとの３枚のレンズで構成されており、
以下の条件式（１）〜（４）を満足することを特徴とする撮像レンズ；
０．２＜Ｐ１／Ｐ＜０．６  …（１）
０．３＜Ｐ１／Ｐ２＜０．９  …（２）
０．０３＜ｔ１／ｔ＜０．１  …（３）
０．０５＜ｔ２／ｔ＜０．１４  …（４）
ただし、
Ｐ１：第１レンズ群のパワー、
Ｐ２：第２レンズ群のパワー、
Ｐ：全系のパワー、
ｔ１：第１レンズ群において、その全長の半分の位置より像側に位置する軸上レンズ面間隔のうち最も長い空気間隔、
ｔ２：無限遠物体距離状態における第１レンズ群と第２レンズ群との空気間隔、
ｔ：撮像レンズの全長、
である。
【請求項４】
物体側から順に、正のパワーを有する第１レンズ群と、正のパワーを有する第２レンズ群と、第３レンズ群とからなり、
フォーカシングに際して、前記第１レンズ群及び第３レンズ群が像面に対して位置固定であり、前記第２レンズ群が移動し、
前記第１レンズ群において、その全長の半分の位置より像側に位置する軸上レンズ面間隔のうち最も長い空気間隔を境界として、前記第１レンズ群を２つのレンズ群に分けたとき、その物体側のレンズ群を前群とし、像側のレンズ群を後群とすると、前記前群において最も像側の面が像側に凹のレンズ面であり、前記後群において最も像側の面が像側に凹のレンズ面であり、
以下の条件式（１）〜（４）及び条件式（７）を満足することを特徴とする撮像レンズ；
０．２＜Ｐ１／Ｐ＜０．６  …（１）
０．３＜Ｐ１／Ｐ２＜０．９  …（２）
０．０３＜ｔ１／ｔ＜０．１  …（３）
０．０５＜ｔ２／ｔ＜０．１４  …（４）
０．３＜Ｐ２／Ｐ’＜０．９５  …（７）
ただし、
Ｐ１：第１レンズ群のパワー、
Ｐ２：第２レンズ群のパワー、
Ｐ：全系のパワー、
ｔ１：第１レンズ群において、その全長の半分の位置より像側に位置する軸上レンズ面間隔のうち最も長い空気間隔、
ｔ２：無限遠物体距離状態における第１レンズ群と第２レンズ群との空気間隔、
ｔ：撮像レンズの全長、
Ｐ’：無限遠物体距離状態における全系のパワー、
である。
【請求項５】
前記後群が少なくとも１枚の負レンズを有することを特徴とする請求項１〜４のいずれか１項に記載の撮像レンズ。
【請求項６】
前記第１レンズ群中に正のパワーを有するレンズが３枚以上連続して配置されていることを特徴とする請求項１〜５のいずれか１項に記載の撮像レンズ。
【請求項７】
前記第１レンズ群中の正のパワーを有するレンズのうち少なくとも１枚が以下の条件式（５）を満足することを特徴とする請求項１〜６のいずれか１項に記載の撮像レンズ；
ｎｄ＞１．７９  …（５）
ただし、
ｎｄ：ｄ線に関する屈折率、
である。
【請求項８】
前記第２レンズ群が正レンズと負レンズを少なくとも１枚ずつ有することを特徴とする請求項１〜７のいずれか１項に記載の撮像レンズ。
【請求項９】
前記第３レンズ群が正のパワーを有することを特徴とする請求項１〜８のいずれか１項に記載の撮像レンズ。
【請求項１０】
以下の条件式（８）を満足することを特徴とする請求項１〜９のいずれか１項に記載の撮像レンズ；
０．４０＜（Ｐ１＋Ｐ３）／Ｐ’＜１．０  …（８）
ただし、
Ｐ１：第１レンズ群のパワー、
Ｐ３：第３レンズ群のパワー、
Ｐ’：無限遠物体距離状態における全系のパワー、
である。
【請求項１１】
請求項１〜１０のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項１２】
請求項１１記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は撮像レンズ，撮像光学装置及びデジタル機器に関するものであり、例えば、被写体の映像を撮像素子（例えば、ＣＣＤ(Charge Coupled Device)型イメージセンサー，ＣＭＯＳ(Complementary Metal-Oxide Semiconductor)型イメージセンサー等の固体撮像素子）で取り込むレンズ交換式デジタルカメラに適したコンパクトで大口径の撮像レンズと、その撮像レンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
明るいＦナンバーの（つまりＦナンバーの小さい）撮像レンズが従来から求められているなかで、近年、デジタル１眼レフカメラにおける高画素化が進んでおり、それに加えて、ユーザーが画像を容易に等倍確認できるようになってきている。そのため、撮像レンズに求められる光学性能が上がってきており、最短撮影距離においても画面全体での画質の均一性がますます求められるようになってきている。また、跳ね上げミラーを取り除いたミラーレスタイプのレンズ交換式デジタルカメラでは、コントラストＡＦ(autofocus)方式のフォーカシングをより一層高速化するために、フォーカス群を軽量化することが求められている。こういった要求に応えるため、高い光学性能を保持しつつフォーカス群を軽量化するのに適したタイプの撮像レンズが特許文献１，２で提案されている。
【先行技術文献】
【特許文献】
【０００３】
【特許文献１】特開２０１４−４８４８８号公報
【特許文献２】特開２０１４−２３８６０８号公報
【発明の概要】
【発明が解決しようとする課題】
【０００４】
しかし、特許文献１に記載の撮像レンズでは、全系のパワーに対する第１レンズ群のパワーが小さく、第１レンズ群でパワーを稼げていないため第３レンズ群に全系のパワーの大半を負担させることになっている。結果として、球面収差が良好に補正できておらず、Ｆナンバー１．４程度の大口径化と良好な収差補正とが両立できていない。
【０００５】
また、特許文献２に記載の撮像レンズでは、フォーカス群のレンズ枚数を減らして軽量化することによりフォーカシングの高速化を可能としているが、フォーカス群である第２レンズ群に対する第１レンズ群のパワーが小さく、ほとんどのパワーを第２レンズ群でまかなっている。フォーカス群のパワーが大きくなると撮影距離の変化による収差の変動量が一般的に大きくなるため、無限遠撮影状態から至近距離撮影状態まで良好に収差を補正することが困難になる。
【０００６】
本発明はこのような状況に鑑みてなされたものであって、その目的は、明るいＦナンバーを有しながら撮影距離を問わず非常に高い光学性能と非常に速いフォーカス性能を併せ持った撮像レンズ，それを備えた撮像光学装置及びデジタル機器を提供することにある。
【課題を解決するための手段】
【０００７】
上記目的を達成するために、第１の発明の撮像レンズは、物体側から順に、正のパワーを有する第１レンズ群と、正のパワーを有する第２レンズ群と、第３レンズ群とからなり、
フォーカシングに際して、前記第１レンズ群及び第３レンズ群が像面に対して位置固定であり、前記第２レンズ群が移動し、
前記第１レンズ群において、その全長の半分の位置より像側に位置する軸上レンズ面間隔のうち最も長い空気間隔を境界として、前記第１レンズ群を２つのレンズ群に分けたとき、その物体側のレンズ群を前群とし、像側のレンズ群を後群とすると、前記前群において最も像側の面が像側に凹のレンズ面であり、前記後群において最も像側の面が像側に凹のレンズ面であり、
前記第１レンズ群内に絞りを有し、
以下の条件式（１）〜（４）を満足することを特徴とする。
０．２＜Ｐ１／Ｐ＜０．６  …（１）
０．３＜Ｐ１／Ｐ２＜０．９  …（２）
０．０３＜ｔ１／ｔ＜０．１  …（３）
０．０５＜ｔ２／ｔ＜０．１４  …（４）
ただし、
Ｐ１：第１レンズ群のパワー、
Ｐ２：第２レンズ群のパワー、
Ｐ：全系のパワー、
ｔ１：第１レンズ群において、その全長の半分の位置より像側に位置する軸上レンズ面間隔のうち最も長い空気間隔、
ｔ２：無限遠物体距離状態における第１レンズ群と第２レンズ群との空気間隔、
ｔ：撮像レンズの全長、
である。
第２の発明の撮像レンズは、物体側から順に、正のパワーを有する第１レンズ群と、正のパワーを有する第２レンズ群と、第３レンズ群とからなり、
フォーカシングに際して、前記第１レンズ群及び第３レンズ群が像面に対して位置固定であり、前記第２レンズ群が移動し、
前記第１レンズ群において、その全長の半分の位置より像側に位置する軸上レンズ面間隔のうち最も長い空気間隔を境界として、前記第１レンズ群を２つのレンズ群に分けたとき、その物体側のレンズ群を前群とし、像側のレンズ群を後群とすると、前記前群において最も像側の面が像側に凹のレンズ面であり、前記後群において最も像側の面が像側に凹のレンズ面であり、
以下の条件式（１）〜（４）を満足し、
前記第１レンズ群中の正のパワーを有するレンズのうち少なくとも１枚が以下の条件式（６）を満足することを特徴とする。
０．２＜Ｐ１／Ｐ＜０．６  …（１）
０．３＜Ｐ１／Ｐ２＜０．９  …（２）
０．０３＜ｔ１／ｔ＜０．１  …（３）
０．０５＜ｔ２／ｔ＜０．１４  …（４）
νｄ＞５５  …（６）
ただし、
Ｐ１：第１レンズ群のパワー、
Ｐ２：第２レンズ群のパワー、
Ｐ：全系のパワー、
ｔ１：第１レンズ群において、その全長の半分の位置より像側に位置する軸上レンズ面間隔のうち最も長い空気間隔、
ｔ２：無限遠物体距離状態における第１レンズ群と第２レンズ群との空気間隔、
ｔ：撮像レンズの全長、
νｄ：ｄ線に関するアッべ数、
である。
第３の発明の撮像レンズは、物体側から順に、正のパワーを有する第１レンズ群と、正のパワーを有する第２レンズ群と、第３レンズ群とからなり、
フォーカシングに際して、前記第１レンズ群及び第３レンズ群が像面に対して位置固定であり、前記第２レンズ群が移動し、
前記第１レンズ群において、その全長の半分の位置より像側に位置する軸上レンズ面間隔のうち最も長い空気間隔を境界として、前記第１レンズ群を２つのレンズ群に分けたとき、その物体側のレンズ群を前群とし、像側のレンズ群を後群とすると、前記前群において最も像側の面が像側に凹のレンズ面であり、前記後群において最も像側の面が像側に凹のレンズ面であり、
前記第２レンズ群が、物体側から順に正レンズと負レンズと正レンズとの３枚のレンズで構成されており、
以下の条件式（１）〜（４）を満足することを特徴とする。
０．２＜Ｐ１／Ｐ＜０．６  …（１）
０．３＜Ｐ１／Ｐ２＜０．９  …（２）
０．０３＜ｔ１／ｔ＜０．１  …（３）
０．０５＜ｔ２／ｔ＜０．１４  …（４）
ただし、
Ｐ１：第１レンズ群のパワー、
Ｐ２：第２レンズ群のパワー、
Ｐ：全系のパワー、
ｔ１：第１レンズ群において、その全長の半分の位置より像側に位置する軸上レンズ面間隔のうち最も長い空気間隔、
ｔ２：無限遠物体距離状態における第１レンズ群と第２レンズ群との空気間隔、
ｔ：撮像レンズの全長、
である。
第４の発明の撮像レンズは、物体側から順に、正のパワーを有する第１レンズ群と、正のパワーを有する第２レンズ群と、第３レンズ群とからなり、
フォーカシングに際して、前記第１レンズ群及び第３レンズ群が像面に対して位置固定であり、前記第２レンズ群が移動し、
前記第１レンズ群において、その全長の半分の位置より像側に位置する軸上レンズ面間隔のうち最も長い空気間隔を境界として、前記第１レンズ群を２つのレンズ群に分けたとき、その物体側のレンズ群を前群とし、像側のレンズ群を後群とすると、前記前群において最も像側の面が像側に凹のレンズ面であり、前記後群において最も像側の面が像側に凹のレンズ面であり、
以下の条件式（１）〜（４）及び条件式（７）を満足することを特徴とする。
０．２＜Ｐ１／Ｐ＜０．６  …（１）
０．３＜Ｐ１／Ｐ２＜０．９  …（２）
０．０３＜ｔ１／ｔ＜０．１  …（３）
０．０５＜ｔ２／ｔ＜０．１４  …（４）
０．３＜Ｐ２／Ｐ’＜０．９５  …（７）
ただし、
Ｐ１：第１レンズ群のパワー、
Ｐ２：第２レンズ群のパワー、
Ｐ：全系のパワー、
ｔ１：第１レンズ群において、その全長の半分の位置より像側に位置する軸上レンズ面間隔のうち最も長い空気間隔、
ｔ２：無限遠物体距離状態における第１レンズ群と第２レンズ群との空気間隔、
ｔ：撮像レンズの全長、
Ｐ’：無限遠物体距離状態における全系のパワー、
である。
【０００８】
第５の発明の撮像レンズは、上記第１〜第４のいずれか１つの発明において、前記後群が少なくとも１枚の負レンズを有することを特徴とする。
【００１０】
第６の発明の撮像レンズは、上記第１〜第５のいずれか１つの発明において、前記第１レンズ群中に正のパワーを有するレンズが３枚以上連続して配置されていることを特徴とする。
【００１１】
第７の発明の撮像レンズは、上記第１〜第６のいずれか１つの発明において、前記第１レンズ群中の正のパワーを有するレンズのうち少なくとも１枚が以下の条件式（５）を満足することを特徴とする。
ｎｄ＞１．７９  …（５）
ただし、
ｎｄ：ｄ線に関する屈折率、
である。
【００１３】
第８の発明の撮像レンズは、上記第１〜第７のいずれか１つの発明において、前記第２レンズ群が正レンズと負レンズを少なくとも１枚ずつ有することを特徴とする。
【００１６】
第９の発明の撮像レンズは、上記第１〜第８のいずれか１つの発明において、前記第３レンズ群が正のパワーを有することを特徴とする。
【００１７】
第１０の発明の撮像レンズは、上記第１〜第９のいずれか１つの発明において、以下の条件式（８）を満足することを特徴とする。
０．４０＜（Ｐ１＋Ｐ３）／Ｐ’＜１．０  …（８）
ただし、
Ｐ１：第１レンズ群のパワー、
Ｐ３：第３レンズ群のパワー、
Ｐ’：無限遠物体距離状態における全系のパワー、
である。
【００１８】
第１１の発明の撮像光学装置は、上記第１〜第１０のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。
【００１９】
第１２の発明のデジタル機器は、上記第１１の発明に係る撮像光学装置を備えることにより、被写体の静止画撮影，動画撮影のうちの少なくとも一方の機能が付加されたことを特徴とする。
【発明の効果】
【００２０】
本発明によれば、明るいＦナンバーを有しながら撮影距離を問わず非常に高い光学性能と非常に速いフォーカス性能を併せ持った撮像レンズ及び撮像光学装置を実現することができる。その撮像レンズ又は撮像光学装置をデジタル機器（例えばデジタルカメラ）に用いることによって、デジタル機器に対して高性能の画像入力機能を軽量・コンパクトに付加することが可能となる。
【図面の簡単な説明】
【００２１】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】第５の実施の形態（実施例５）のレンズ構成図。
【図６】実施例１の縦収差図。
【図７】実施例２の縦収差図。
【図８】実施例３の縦収差図。
【図９】実施例４の縦収差図。
【図１０】実施例５の縦収差図。
【図１１】実施例１の第１フォーカスポジションでの横収差図。
【図１２】実施例１の第２フォーカスポジションでの横収差図。
【図１３】実施例２の第１フォーカスポジションでの横収差図。
【図１４】実施例２の第２フォーカスポジションでの横収差図。
【図１５】実施例３の第１フォーカスポジションでの横収差図。
【図１６】実施例３の第２フォーカスポジションでの横収差図。
【図１７】実施例４の第１フォーカスポジションでの横収差図。
【図１８】実施例４の第２フォーカスポジションでの横収差図。
【図１９】実施例５の第１フォーカスポジションでの横収差図。
【図２０】実施例５の第２フォーカスポジションでの横収差図。
【図２１】撮像光学装置を搭載したデジタル機器の概略構成例を示す模式図。
【発明を実施するための形態】
【００２２】
以下、本発明の実施の形態に係る撮像レンズ，撮像光学装置及びデジタル機器を説明する。本発明の実施の形態に係る撮像レンズは、物体側から順に、正のパワーを有する第１レンズ群と、正のパワーを有する第２レンズ群と、第３レンズ群とを有し（パワー：焦点距離の逆数で定義される量）、フォーカシングに際して、前記第１レンズ群及び第３レンズ群が像面に対して位置固定であり、前記第２レンズ群が移動する構成になっている。そして、前記第１レンズ群において、その全長の半分の位置より像側に位置する軸上レンズ面間隔のうち最も長い空気間隔を境界として、前記第１レンズ群を２つのレンズ群に分けたとき、その物体側のレンズ群を前群とし、像側のレンズ群を後群とすると、前記前群において最も像側の面が像側に凹のレンズ面であり、前記後群において最も像側の面が像側に凹のレンズ面であり、以下の条件式（１）〜（４）を満足することを特徴としている。
０．２＜Ｐ１／Ｐ＜０．６  …（１）
０．３＜Ｐ１／Ｐ２＜０．９  …（２）
０．０３＜ｔ１／ｔ＜０．１  …（３）
０．０５＜ｔ２／ｔ＜０．１４  …（４）
ただし、
Ｐ１：第１レンズ群のパワー、
Ｐ２：第２レンズ群のパワー、
Ｐ：全系のパワー、
ｔ１：第１レンズ群において、その全長の半分の位置より像側に位置する軸上レンズ面間隔のうち最も長い空気間隔、
ｔ２：無限遠物体距離状態における第１レンズ群と第２レンズ群との空気間隔、
ｔ：撮像レンズの全長、
である。
【００２３】
無限遠物体から至近距離物体へのフォーカシングにおいて、第１レンズ群と第３レンズ群を固定し、第２レンズ群のみを移動させる方式を採用すると、フォーカス群を軽量化することができ、フォーカススピードを上げることができる（フォーカシングの高速化）。つまり、フォーカス群の重量を抑えると、オートフォーカスの速度を速めてフォーカス移動時間を抑えることが可能であり、これには、優れた使用感が得られるというメリットやモーターの負荷を軽減できるというメリット等がある。
【００２４】
フォーカス群である第２レンズ群より物体側の広い空気間隔に挟まれる位置に、最も像側に凹面を有する後群が配置されているため、第２レンズ群の位置がフォーカスのために変動しても、光線の入射経路の変動を抑えることによって像面湾曲の変動を抑えることができる。その結果、無限遠物体距離から最短物体距離まで像面湾曲の発生が小さくなり、画面全体で画質の均一性が高められる（フォーカス時の高性能化）。
【００２５】
また、フォーカス群である第２レンズ群の径を小さくするためには、第１レンズ群でパワーを稼いでおく必要があり、全系のパワーに対して第１レンズ群のパワーは上記条件式（１）の範囲内である必要がある。条件式（１）は、この観点から第１レンズ群のパワーに関する好ましい条件範囲を規定している。
【００２６】
条件式（１）の下限を上回ることで、第２レンズ群へ入射する光線の高さを下げ、フォーカス群の径が大きくなるのを防止することができる。また、第１レンズ群のパワーが弱くなり過ぎず、全長を一定に保つために相対的に第２レンズ群のパワーを過度に強める必要がなく、第２レンズ群内で発生する色コマ収差を抑えることができるとともに、非点収差の悪化を防止することができる。一方、条件式（１）の上限を下回ることで、第１レンズ群のパワーが強くなり過ぎず、球面収差をはじめとする諸収差の発生を低減させることができる。それとともに、第２レンズ群に入射する光線角度を減少させて、近接撮影時の瞳倍率が大きくなって、収差を増大させてしまうのを防止することができる。したがって、この条件式（１）を満たすことにより、コンパクトで大口径の撮像レンズにおいて、フォーカス時の高性能化とフォーカス群の軽量化によるフォーカシングの高速化とをバランス良く達成することができる。
【００２７】
物体側に正正のパワー配置を有する３群構成において第２レンズ群をフォーカス群とするインナーフォーカス方式（内焦式）では、第１レンズ群と第２レンズ群とのパワーの比が、全系の焦点距離を短くし、かつ、良好な収差補正を行う上で重要になり、条件式（２）の範囲内である必要がある。条件式（２）は、この観点から第１レンズ群と第２レンズ群のパワーに関する好ましい条件範囲を規定している。
【００２８】
条件式（２）の下限を上回ることで、第１レンズ群に比して第２レンズ群のパワーが強くなりすぎず、第２レンズ群内で発生する色コマ収差を低減することができる。フォーカス群のパワーが強くなると撮影距離の変化による収差の変動量が大きくなるのが一般的であるため、第２レンズ群のパワーを抑制することによって無限遠撮影状態から至近距離（最短物体距離）撮影状態までの良好な収差補正が可能になる。一方、条件式（２）の上限を下回ることで、第１レンズ群に比して第２レンズ群のパワーが弱くなり過ぎず、フォーカス群の移動量が大きくなりすぎるのを防止することができ、フォーカシングの高速化が可能になる。したがって、この条件式（２）を満たすことにより、コンパクトで大口径の撮像レンズにおいて、フォーカス時の高性能化とフォーカス移動量の短縮によるフォーカシングの高速化とをバランス良く達成することができる。
【００２９】
第１レンズ群は前群と後群からなっており、第１レンズ群の全長の半分の位置より像側に位置する軸上レンズ面間隔のうち最も長い空気間隔を挟んで、物体側に前群、像側に後群がそれぞれ配置されている。前群において最も像側には像側に凹面を有するレンズが配されており、後群において最も像側には像側に凹面を有するレンズが配されている。つまり、前群と後群はいずれも最も像側の面が像側に凹のレンズ面となっている。その前群と後群との間隔が、撮像レンズの全長短縮とフォーカス時の性能変動の抑制とを達成する上で重要であり、条件式（３）は、この観点から前群と後群との間の空気間隔ｔ１に関する好ましい条件範囲を規定している。また、第１レンズ群と第２レンズ群との間隔が、撮像レンズの全長短縮と光学性能の安定化とを達成する上で重要であり、条件式（４）は、この観点から第１レンズ群と第２レンズ群との空気間隔ｔ２に関する好ましい条件範囲を規定している。
【００３０】
条件式（３）の下限を上回ることで適切な空気間隔ｔ１を保つと、前群において最も像側に配されているレンズで跳ね上げた光線を、後群において最も像側に配されているレンズで跳ね下げて、アッパーからローワーまでの光線が光軸に対して平行に近くなるようにし、フォーカス群が移動した際の性能変動、特に湾曲収差の変動を低減することができる。一方、条件式（３）の上限を下回ることで、撮像レンズの全長が大きくなるのを防止することができる。したがって、この条件式（３）を満足することにより、撮像レンズの全長を短くしつつ、フォーカス時の性能変動の劣化を防止することができる。
【００３１】
条件式（４）の下限を上回ることで、第１レンズ群と第２レンズ群との主点間隔を遠ざけることができ、フォーカス群である第２レンズ群においてフォーカス時に偏心が発生しても、性能劣化の小さい撮像レンズを実現することができる。また、フォーカス時に十分な間隔を保つことができるため、レンズ群同士の接触を防止することができ、信頼性を高めることができる。一方、条件式（４）の上限を下回ることで、撮像レンズの全長が大きくなるのを防止することができる。したがって、この条件式（４）を満足することにより、撮像レンズの全長を短くしつつ、光学性能の安定化を達成することができる。
【００３２】
上記特徴的構成によると、明るいＦナンバーを有しながら撮影距離を問わず非常に高い光学性能と非常に速いフォーカス性能を併せ持った撮像レンズ及びそれを備えた撮像光学装置を実現することができる。例えば、レンズ全長がコンパクト化され、かつ、合焦時の性能変動が抑制された内焦式大口径レンズであって、フォーカス群の軽量化とフォーカス移動量の短縮によりコントラストＡＦへの対応を効果的に行うことの可能な撮像レンズ及び撮像光学装置を実現することができる。その撮像レンズ又は撮像光学装置をデジタル機器（例えばデジタルカメラ）に用いることによって、デジタル機器に対して高性能の画像入力機能を軽量・コンパクトに付加することが可能となり、デジタル機器のコンパクト化，低コスト化，高性能化，高機能化等に寄与することができる。例えば、上記特徴的構成を有する撮像レンズは、デジタルカメラ用・ビデオカメラ用の交換レンズとして好適であるため、持ち運びに便利な軽量・小型の交換レンズを実現することができる。こういった効果をバランス良く得るとともに、更に高い光学性能，軽量・小型化等を達成するための条件等を以下に説明する。
【００３３】
以下の条件式（１ａ）を満足することが望ましい。
０．３＜Ｐ１／Ｐ＜０．５５  …（１ａ）
この条件式（１ａ）は、前記条件式（１）が規定している条件範囲のなかでも、前記観点等に基づいた更に好ましい条件範囲を規定している。したがって、好ましくは条件式（１ａ）を満たすことにより、上記効果をより一層大きくすることができる。
【００３４】
以下の条件式（２ａ）を満足することが望ましい。
０．４＜Ｐ１／Ｐ２＜０．７５  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。
【００３５】
以下の条件式（３ａ）を満足することが望ましい。
０．０３＜ｔ１／ｔ＜０．０８  …（３ａ）
この条件式（３ａ）は、前記条件式（３）が規定している条件範囲のなかでも、前記観点等に基づいた更に好ましい条件範囲を規定している。したがって、好ましくは条件式（３ａ）を満たすことにより、上記効果をより一層大きくすることができる。
【００３６】
以下の条件式（４ａ）を満足することが望ましい。
０．０７＜ｔ２／ｔ＜０．１２  …（４ａ）
この条件式（４ａ）は、前記条件式（４）が規定している条件範囲のなかでも、前記観点等に基づいた更に好ましい条件範囲を規定している。したがって、好ましくは条件式（４ａ）を満たすことにより、上記効果をより一層大きくすることができる。
【００３７】
前記後群が少なくとも１枚の負レンズを有することが望ましい。後群に少なくとも１枚の負レンズを含めると、正のパワーから距離を置いて負レンズが配置されることになるため、像面湾曲を効果的に補正して画面周辺まで均一な画質を確保することが可能となる。
【００３８】
前記第１レンズ群内に絞りを有することが望ましい。第１レンズ群内に絞りを配置すると、撮像レンズ全体の径を小さくすることができるとともに、フォーカス群である第２レンズ群の径も同時に小さくすることができる。また、第１レンズ群において、その全長の半分の位置より像側に位置する軸上レンズ面間隔のうち最も長い空気間隔ｔ１に絞りを配置することが更に望ましい。絞りを配置するために全長を大きくする必要がないので、撮像レンズを小型化することができる。
【００３９】
前記第１レンズ群中に正のパワーを有するレンズが３枚以上連続して配置されていることが望ましい。正のパワーを３枚以上のレンズで負担することによって、光線を緩やかに曲げることができ、球面収差をはじめとする諸収差の発生を低減することができる。また、上記のように連続するレンズは４枚であることが更に望ましい。連続する正レンズが４枚であれば、収差の補正を効果的に行っても全長が大きくなりすぎない、という効果が得られる。
【００４０】
前記第１レンズ群中の正のパワーを有するレンズのうち少なくとも１枚が以下の条件式（５）を満足することが望ましい。
ｎｄ＞１．７９  …（５）
ただし、
ｎｄ：ｄ線に関する屈折率、
である。
【００４１】
条件式（５）を満たす正レンズを用いることにより、全長の短縮と像面湾曲の改善が可能となる。条件式（５）を満たすレンズ材料は高屈折率材料であるため、条件式（５）を満たす正レンズを用いると、同じパワーであっても正レンズの曲率を緩めて光線の急な曲がりを抑えることができ、全長の短縮と像面湾曲の発生を低減することができる。
【００４２】
以下の条件式（５ａ）を満足することが望ましい。
ｎｄ＞１．８５  …（５ａ）
この条件式（５ａ）は、前記条件式（５）が規定している条件範囲のなかでも、前記観点等に基づいた更に好ましい条件範囲を規定している。したがって、好ましくは条件式（５ａ）を満たすことにより、上記効果をより一層大きくすることができる。
【００４３】
前記第１レンズ群中の正のパワーを有するレンズのうち少なくとも１枚が以下の条件式（６）を満足することが望ましい。
νｄ＞５５  …（６）
ただし、
νｄ：ｄ線に関するアッべ数、
である。
【００４４】
条件式（６）を満たす正レンズを用いることにより、正レンズで発生する色収差を効果的に低減することができる。特に軸上色収差の発生を効果的に低減することができるため、条件式（６）を満たす正レンズを接合レンズに用いることが更に望ましい。
【００４５】
以下の条件式（６ａ）を満たすことが望ましく、条件式（６ｂ）を満たすことが更に望ましい。
νｄ＞６０  …（６ａ）
νｄ＞６５  …（６ｂ）
これらの条件式（６ａ），（６ｂ）は、前記条件式（６）が規定している条件範囲のなかでも、前記観点等に基づいた更に好ましい条件範囲を規定している。したがって、好ましくは条件式（６ａ）、更に好ましくは条件式（６ｂ）を満たすことにより、上記効果をより一層大きくすることができる。
【００４６】
前記第２レンズ群が正レンズと負レンズを少なくとも１枚ずつ有することが望ましい。フォーカス群内に正レンズと負レンズを有することで、フォーカス群内での像面湾曲や色収差等の収差の補正が可能となる。したがって、フォーカス時に性能変動の小さい撮像レンズを実現することができ、最短撮影距離状態において高い画質を確保することができる。
【００４７】
前記第２レンズ群が、物体側から順に正レンズと負レンズと正レンズとの３枚のレンズで構成されていることが望ましい。フォーカス群を正・負・正のレンズ３枚で構成することにより、フォーカス群の径を小型化することができるだけでなく、フォーカス群内で像面湾曲及び色収差の補正を効果的に行うことができる。
【００４８】
以下の条件式（７）を満足することが望ましい。
０．３＜Ｐ２／Ｐ’＜０．９５  …（７）
ただし、
Ｐ２：第２レンズ群のパワー、
Ｐ’：無限遠物体距離状態における全系のパワー、
である。
【００４９】
条件式（７）は、第２レンズ群のパワーに関する好ましい条件範囲を規定している。この条件式（７）の下限を上回ることで、第２レンズ群のパワーが弱くなり過ぎず、フォーカシングのための移動量を低減することができるため、フォーカス速度の効果的な高速化が可能となる。一方、条件式（７）の上限を下回ることで、第２レンズ群のパワーが強くなり過ぎず、フォーカシング時の非点収差や像面湾曲等の収差の変動を低減することができる。
【００５０】
以下の条件式（７ａ）を満足することが望ましい。
０．６＜Ｐ２／Ｐ’＜０．８５  …（７ａ）
この条件式（７ａ）は、前記条件式（７）が規定している条件範囲のなかでも、前記観点等に基づいた更に好ましい条件範囲を規定している。したがって、好ましくは条件式（７ａ）を満たすことにより、上記効果をより一層大きくすることができる。
【００５１】
前記第３レンズ群が正のパワーを有することが望ましい。撮像素子に最も近接している第３レンズ群のパワーを正とすることで、性能劣化を抑えつつ全長を短縮することができる。
【００５２】
以下の条件式（８）を満足することが望ましい。
０．４０＜（Ｐ１＋Ｐ３）／Ｐ’＜１．０  …（８）
ただし、
Ｐ１：第１レンズ群のパワー、
Ｐ３：第３レンズ群のパワー、
Ｐ’：無限遠物体距離状態における全系のパワー、
である。
【００５３】
像面に対して位置固定の第１レンズ群と第３レンズ群では、フォーカシングを行っても光線の通り方は基本的に大きく変わらないので、無限遠撮影時から至近距離撮影時にかけての性能変化は第２レンズ群に起因する割合が大きい。そのため、全系のパワーに対する第１レンズ群と第３レンズ群のパワーの和の割合を規定すると、第２レンズ群のパワーを適切に配することができる。つまり、全系のパワーに対する第１レンズ群と第３レンズ群の合計パワーの比は、条件式（８）の範囲内であることが好ましい。条件式（８）は、この観点から第１レンズ群と第３レンズ群のパワーに関する好ましい条件範囲を規定している。
【００５４】
条件式（８）の下限を上回ることで、相対的に第２レンズ群のパワーが強くなり過ぎず、フォーカシング時の非点収差や像面湾曲等の収差の変動を低減することができる。一方、条件式（８）の上限を下回ることで、相対的に第２レンズ群のパワーが弱くなり過ぎず、フォーカシングのための移動量を低減することができるため、フォーカス速度の効果的な高速化が可能となる。また、第１レンズ群と第３レンズ群のパワーが弱くなり過ぎず、全長が大きくなり過ぎることを防止できる。
【００５５】
以下の条件式（８ａ）を満足することが望ましい。
０．４５＜（Ｐ１＋Ｐ３）／Ｐ’＜０．８  …（８ａ）
この条件式（８ａ）は、前記条件式（８）が規定している条件範囲のなかでも、前記観点等に基づいた更に好ましい条件範囲を規定している。したがって、好ましくは条件式（８ａ）を満たすことにより、上記効果をより一層大きくすることができる。
【００５６】
以上説明した撮像レンズは、画像入力機能付きデジタル機器（例えば、レンズ交換式デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器を実現することができる。
【００５７】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００５８】
図２１に、画像入力機能付きデジタル機器の一例として、デジタル機器ＤＵの概略構成例を模式的断面で示す。図２１に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、撮像レンズＬＮにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱可能又は回動可能に構成することが可能である。
【００５９】
撮像レンズＬＮは、３群構成の撮像レンズであり、第１レンズ群と第３レンズ群の位置を固定した状態で正パワーの第２レンズ群を光軸ＡＸに沿って物体側に移動させることにより、無限遠から近距離へのフォーカシングを行うインナーフォーカス方式を採用しており、撮像素子ＳＲの受光面ＳＳ上に光学像ＩＭを形成する構成になっている。撮像素子ＳＲとしては、例えば複数の画素を有するＣＣＤ型イメージセンサー，ＣＭＯＳ型イメージセンサー等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００６０】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００６１】
次に、撮像レンズＬＮの第１〜第５の実施の形態を挙げて、その具体的な光学構成を更に詳しく説明する。図１〜図５は、第１〜第５の実施の形態を構成する撮像レンズＬＮにそれぞれ対応するレンズ構成図であり、第１フォーカスポジションＰＯＳ１（無限遠物体距離状態）と第２フォーカスポジションＰＯＳ２（最短物体距離状態）でのレンズ配置を光学断面で示している。第１の実施の形態は正正負の３群構成、第２〜第５の実施の形態は正正正の３群構成になっており、フォーカシング時には、第１レンズ群Ｇｒ１及び第３レンズ群Ｇｒ３の位置を固定した状態で第２レンズ群Ｇｒ２が光軸ＡＸに沿って物体側に移動する。つまり、第２レンズ群Ｇｒ２はフォーカス群であり、矢印ｍＦで示すように、無限遠物体から近距離物体へのフォーカシングにおいて物体側へ移動する。したがって、第１レンズ群Ｇｒ１と第２レンズ群との空気間隔は、第１フォーカスポジションＰＯＳ１で最大となり（空気間隔ｔ２）、第２フォーカスポジションＰＯＳ２で最小となる。
【００６２】
第１レンズ群Ｇｒ１は、第１〜第５の実施の形態において、正パワーの前群ＧｒＦと負パワーの後群ＧｒＲとからなっている（正負の２群構成）。第１レンズ群Ｇｒ１において、その全長の半分の位置より像側に位置する軸上レンズ面間隔のうち最も長い空気間隔ｔ１を境界として、第１レンズ群Ｇｒ１を２つのレンズ群に分けたとき、その物体側のレンズ群が前群ＧｒＦであり、像側のレンズ群が後群ＧｒＲである。前群ＧｒＦと後群ＧｒＲは、それぞれ最も像側の面が像側に凹のレンズ面であり、後群ＧｒＲは、像側に凹の負メニスカスレンズ１枚からなっている。また、前群ＧｒＦと後群ＧｒＲとの間には絞りＳＴが配置されている。
【００６３】
第２レンズ群Ｇｒ２は、第１〜第５の実施の形態において、物体側から順に、正レンズＬ２１と負レンズＬ２２と正レンズＬ２３とで構成されている（正負正の３枚構成）。第３レンズ群Ｇｒ３は、第１，第３，第４の実施の形態において、物体側から順に、負レンズＬ３１と、正レンズＬ３２と、で構成されており（負正の２枚構成）、第２，第５の実施の形態において、物体側から順に、正レンズＬ３１と、負レンズＬ３２と、で構成されている（正負の２枚構成）。
【００６４】
第１の実施の形態の撮像レンズＬＮ（図１）において、各レンズ群は物体側から順に以下のように構成されている。第１レンズ群Ｇｒ１の前群ＧｒＦは、像側に凹の負メニスカスレンズＬ１１と、両凹の負レンズＬ１２及び両凸の正レンズＬ１３からなる接合レンズと、両凸の正レンズＬ１４と、物体側に凸の正メニスカスレンズＬ１５と、像側に凹の負メニスカスレンズＬ１６と、で構成されており、第１レンズ群Ｇｒ１の後群ＧｒＲは、像側に凹の負メニスカスレンズＬ１７のみで構成されている。第２レンズ群Ｇｒ２は、物体側に凸の正メニスカスレンズＬ２１（両面非球面）と、両凹の負レンズＬ２２と、両凸の正レンズＬ２３（両面非球面）と、で構成されている。第３レンズ群Ｇｒ３は、物体側に凹の負メニスカスレンズＬ３１と、像側に凸の正メニスカスレンズＬ３２と、で構成されている。
【００６５】
第２の実施の形態の撮像レンズＬＮ（図２）において、各レンズ群は物体側から順に以下のように構成されている。第１レンズ群Ｇｒ１の前群ＧｒＦは、像側に凹の負メニスカスレンズＬ１１と、両凹の負レンズＬ１２及び両凸の正レンズＬ１３からなる接合レンズと、両凸の正レンズＬ１４と、両凸の正レンズＬ１５と、両凹の負レンズＬ１６と、像側に凹の負メニスカスレンズＬ１７と、で構成されており、第１レンズ群Ｇｒ１の後群ＧｒＲは、像側に凹の負メニスカスレンズＬ１８のみで構成されている。第２レンズ群Ｇｒ２は、物体側に凸の正メニスカスレンズＬ２１と、両凹の負レンズＬ２２と、両凸の正レンズＬ２３（両面非球面）と、で構成されている。第３レンズ群Ｇｒ３は、両凸の正レンズＬ３１（両面非球面）と、物体側に凹の負の平凹レンズＬ３２と、で構成されている。
【００６６】
第３の実施の形態の撮像レンズＬＮ（図３）において、各レンズ群は物体側から順に以下のように構成されている。第１レンズ群Ｇｒ１の前群ＧｒＦは、像側に凹の負メニスカスレンズＬ１１と、両凹の負レンズＬ１２及び両凸の正レンズＬ１３からなる接合レンズと、両凸の正レンズＬ１４と、物体側に凸の正メニスカスレンズＬ１５と、両凸の正レンズＬ１６及び両凹の負レンズＬ１７からなる接合レンズと、で構成されており、第１レンズ群Ｇｒ１の後群ＧｒＲは、像側に凹の負メニスカスレンズＬ１８のみで構成されている。第２レンズ群Ｇｒ２は、両凸の正レンズＬ２１と、両凹の負レンズＬ２２と、両凸の正レンズＬ２３（両面非球面）と、で構成されている。第３レンズ群Ｇｒ３は、像側に凹の負メニスカスレンズＬ３１と、両凸の正レンズ（両面非球面）と、で構成されている。
【００６７】
第４の実施の形態の撮像レンズＬＮ（図４）において、各レンズ群は物体側から順に以下のように構成されている。第１レンズ群Ｇｒ１の前群ＧｒＦは、像側に凹の負メニスカスレンズＬ１１と、両凹の負レンズＬ１２及び両凸の正レンズＬ１３からなる接合レンズと、両凸の正レンズＬ１４と、物体側に凸の正メニスカスレンズＬ１５と、両凸の正レンズＬ１６及び両凹の負レンズＬ１７からなる接合レンズと、で構成されており、第１レンズ群Ｇｒ１の後群ＧｒＲは、像側に凹の負メニスカスレンズＬ１８のみで構成されている。第２レンズ群Ｇｒ２は、物体側に凸の正メニスカスレンズＬ２１と、物体側に凹の負メニスカスレンズＬ２２と、両凸の正レンズＬ２３（両面非球面）と、で構成されている。第３レンズ群Ｇｒ３は、両凹の負レンズＬ３１と、両凸の正レンズＬ３２（両面非球面）と、で構成されている。
【００６８】
第５の実施の形態の撮像レンズＬＮ（図５）において、各レンズ群は物体側から順に以下のように構成されている。第１レンズ群Ｇｒ１の前群ＧｒＦは、像側に凹の負メニスカスレンズＬ１１と、両凹の負レンズＬ１２及び両凸の正レンズＬ１３からなる接合レンズと、両凸の正レンズＬ１４と、物体側に凸の正メニスカスレンズＬ１５と、両凸の正レンズＬ１６及び両凹の負レンズＬ１７からなる接合レンズと、で構成されており、第１レンズ群Ｇｒ１の後群ＧｒＲは、像側に凹の負メニスカスレンズＬ１８のみで構成されている。第２レンズ群Ｇｒ２は、物体側に凸の正メニスカスレンズＬ２１と、物体側に凹の負メニスカスレンズＬ２２と、両凸の正レンズＬ２３（両面非球面）と、で構成されている。第３レンズ群Ｇｒ３は、両凸の正レンズＬ３１（両面非球面）と、物体側に凹の負の平凹レンズＬ３２と、で構成されている。
【実施例】
【００６９】
以下、本発明を実施した撮像レンズの構成等を、実施例のコンストラクションデータ等を挙げて更に具体的に説明する。ここで挙げる実施例１〜５（ＥＸ１〜５）は、前述した第１〜第５の実施の形態にそれぞれ対応する数値実施例であり、第１〜第５の実施の形態を表すレンズ構成図（図１〜図５）は、対応する実施例１〜５の光学構成をそれぞれ示している。
【００７０】
各実施例のコンストラクションデータでは、面データとして、左側の欄から順に、面番号ｉ（ＯＢ：物面，ＳＴ：絞り面，ＩＭ：像面），近軸における曲率半径ｒ（ｍｍ），軸上面間隔ｄ（ｍｍ），ｄ線（波長：５８７．５６ｎｍ）に関する屈折率Ｎｄ，及びｄ線に関するアッベ数νｄを示す。なお、フォーカシングにより変化する可変の軸上面間隔ｄｉ（ｉ：面番号，ｍｍ）に関しては、第１フォーカスポジションＰＯＳ１〜第２フォーカスポジションＰＯＳ２のそれぞれについて示す。
【００７１】
面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【００７２】
各種データとして、全系の焦点距離ｆ（ｍｍ），ＦナンバーＦＮＯ．，全画角２ω（°），最大像高ｙ’ｍａｘ（ｍｍ），レンズ全長ＴＬ（ｍｍ），バックフォーカスＢＦ（ｍｍ），第１レンズ群Ｇｒ１の焦点距離ｆ１（ｍｍ），第２レンズ群Ｇｒ２の焦点距離ｆ２（ｍｍ），第３レンズ群Ｇｒ３の焦点距離ｆ３（ｍｍ）を示す。ただし、バックフォーカスＢＦは、レンズ最終面から近軸像面ＩＭまでの距離を空気換算長により表記しており、レンズ全長ＴＬは、レンズ最前面からレンズ最終面までの距離にバックフォーカスＢＦを加えたものである。また、表１に各実施例の条件式対応値及びその関連データを示す。
【００７３】
図６〜図１０は、実施例１〜実施例５（ＥＸ１〜ＥＸ５）にそれぞれ対応する縦収差図であり、（Ａ）〜（Ｃ）は第１フォーカスポジションＰＯＳ１、（Ｄ）〜（Ｆ）は第２フォーカスポジションＰＯＳ２における諸収差をそれぞれ示している。また、図６〜図１０中、（Ａ）と（Ｄ）は球面収差図、（Ｂ）と（Ｅ）は非点収差図、（Ｃ）と（Ｆ）は歪曲収差図である。
【００７４】
球面収差図は、一点鎖線で示すＣ線（波長６５６．２８ｎｍ）に対する球面収差量、実線で示すｄ線（波長５８７．５６ｎｍ）に対する球面収差量、破線で示すｇ線（波長４３５．８４ｎｍ）に対する球面収差量を、それぞれ近軸像面からの光軸ＡＸ方向のズレ量（ｍｍ）で表しており、縦軸はＦ値を表している。非点収差図において、破線Ｍはｄ線に対するメリディオナル像面、実線Ｓはｄ線に対するサジタル像面を、それぞれ近軸像面からの光軸ＡＸ方向のズレ量（ｍｍ）で表しており、縦軸は像高Ｙ’（ｍｍ）を表している。歪曲収差図において、横軸はｄ線に対する歪曲（％）を表しており、縦軸は像高Ｙ’（ｍｍ）を表している。なお、像高Ｙ’は像面ＩＭにおける最大像高ｙ’ｍａｘ（撮像素子ＳＲの受光面ＳＳの対角長の半分）に相当する。
【００７５】
図１１，図１３，図１５，図１７及び図１９は、第１フォーカスポジションＰＯＳ１での実施例１〜実施例５（ＥＸ１〜ＥＸ５）にそれぞれ対応する横収差図であり、図１２，図１４，図１６，図１８及び図２０は、第２フォーカスポジションＰＯＳ２での実施例１〜実施例５（ＥＸ１〜ＥＸ５）にそれぞれ対応する横収差図である。図１１〜図２０のそれぞれにおいて、（Ａ）〜（Ｃ）はメリディオナルコマ収差（ｍｍ）、（Ｄ）〜（Ｆ）はサジタルコマ収差（ｍｍ）を、各像高Ｙ’（ｍｍ）について示している。なお、図６〜図１０と同様、一点鎖線はＣ線（波長６５６．２８ｎｍ）、実線はｄ線（波長５８７．５６ｎｍ）、破線はｇ線（波長４３５．８４ｎｍ）である。
【００７６】
実施例１
単位：mm
面データ
i            r(mm)      d(mm)         Nd        νd
0(OB)           ∞         ∞ 〜158.00
1           89.678       2.50      1.7236      55.0
2           30.058      24.27
3          -31.127       2.00      1.7637      27.3
4           48.439      13.22      1.7277      54.8
5          -44.935       0.30
6          110.238       9.21      1.9300      22.0
7          -93.297       0.30
8           40.391       8.45      1.7299      54.6
9          386.035       1.28
10         417.255       1.60      1.7249      28.6
11          43.165       7.69
12(ST)          ∞       2.00
13          39.348       1.60      1.9300      22.0
14          32.525      13.33 〜6.66
15*         43.619       4.31      1.7308      40.5
16*        141.092       4.34
17         -32.155       1.30      1.8081      22.8
18         119.706       3.18
19*         69.704       7.00      1.7308      40.5
20*        -28.125       3.49 〜10.16
21         -40.910       1.60      1.9300      22.0
22         -99.981       0.50
23        -155.000       4.54      1.8074      40.4
24         -46.877      23.49
25(IM)          ∞
【００７７】
非球面データ
第15面
K= 0.00000E+00
A4=-9.12283E-06
A6=-1.58128E-08
A8=-1.05413E-11
A10=-2.82868E-13
【００７８】
非球面データ
第16面
K= 0.00000E+00
A4=-1.66769E-05
A6=-6.76994E-09
A8=-2.71954E-11
A10=-6.87133E-14
【００７９】
非球面データ
第19面
K= 0.00000E+00
A4=-1.34442E-05
A6= 5.25316E-09
A8= 0.00000E+00
A10= 0.00000E+00
【００８０】
非球面データ
第20面
K= 0.00000E+00
A4= 3.82463E-06
A6=-1.24179E-08
A8= 1.98894E-11
A10=-5.89532E-14
【００８１】
各種データ
f     =    34.931
FNO.  =      1.44
2ω   =     66.02
y'max =      21.6
TL    =    141.49
BF    =     23.49
f1    =    67.886
f2    =    52.863
f3    = -7752.960
【００８２】
実施例２
単位：mm
面データ
i            r(mm)      d(mm)         Nd        νd
0(OB)           ∞         ∞ 〜158.00
1          221.544       1.60      1.6529      59.6
2           32.653      21.39
3          -34.104       1.60      1.7588      27.0
4           53.881      11.59      1.7511      51.4
5          -53.881       0.30
6          147.171       9.18      1.9289      22.1
7          -78.012       0.30
8           46.737       8.63      1.7394      53.1
9         -368.586       0.74
10        -171.223       1.60      1.6696      32.3
11         124.596       0.96
12         121.789       1.60      1.7349      28.1
13          62.688       6.30
14(ST)          ∞       1.50
15          39.716       1.60      1.9111      22.4
16          29.065      15.84 〜6.66
17          28.855       4.50      1.7292      54.7
18          63.221       4.39
19        -174.397       1.30      1.8026      25.3
20          51.077       4.77
21*        123.402       6.00      1.7308      40.5
22*        -49.612       3.48 〜10.16
23*        160.144       6.73      1.8074      40.4
24*        -48.801       0.50
25         -56.892       1.60      1.9300      22.0
26              ∞      23.52
27(IM)          ∞
【００８３】
非球面データ
第21面
K= 0.00000E+00
A4=-6.85594E-06
A6=-2.49441E-08
A8= 0.00000E+00
A10= 0.00000E+00
【００８４】
非球面データ
第22面
K= 0.00000E+00
A4=-1.02290E-06
A6=-3.37115E-08
A8= 5.56685E-11
A10=-9.31598E-14
【００８５】
非球面データ
第23面
K= 0.00000E+00
A4=-1.91502E-06
A6=-1.26646E-08
A8= 2.95197E-11
A10=-3.66394E-14
【００８６】
非球面データ
第24面
K= 0.00000E+00
A4=-6.33167E-07
A6=-3.88608E-09
A8= 0.00000E+00
A10= 0.00000E+00
【００８７】
各種データ
f     =    34.932
FNO.  =      1.44
2ω   =     66.30
y'max =      21.6
TL    =    141.52
BF    =     23.52
f1    =   135.959
f2    =    66.914
f3    =   184.811
【００８８】
実施例３
単位：mm
面データ
i            r(mm)      d(mm)         Nd        νd
0(OB)           ∞         ∞ 〜258.00
1          262.077       3.20      1.6180      63.4
2           32.284      22.99
3          -31.141       3.20      1.8052      25.5
4           59.020      11.86      1.7725      49.6
5          -47.340       0.30
6          107.712       8.39      1.9229      20.9
7          -91.206       0.30
8           48.513       5.96      1.8042      46.5
9          121.143       1.13
10          99.753       7.09      1.4970      81.6
11         -86.620       2.40      1.7847      25.7
12         174.957       4.44
13(ST)          ∞       1.54
14          36.561       1.60      1.8467      23.8
15          23.422      14.10 〜8.13
16          55.047       2.66      1.7234      38.0
17       -2526.037       4.50
18         -30.592       1.30      1.8052      25.5
19         175.456       2.18
20*        138.556       7.00      1.7308      40.5
21*        -28.448       3.48 〜9.46
22         412.068       1.60      1.8467      23.8
23          52.964       1.55
24*         61.068       5.24      1.8074      40.4
25*       -189.472      23.48
26(IM)          ∞
【００８９】
非球面データ
第20面
K= 0.00000E+00
A4= 1.76919E-06
A6= 1.97882E-09
A8=-5.72553E-12
A10= 2.47498E-14
【００９０】
非球面データ
第21面
K= 0.00000E+00
A4= 5.39507E-06
A6= 6.00518E-09
A8=-1.63658E-11
A10= 5.85953E-14
【００９１】
非球面データ
第24面
K= 0.00000E+00
A4=-5.39449E-06
A6= 1.64107E-09
A8= 1.05226E-11
A10= 3.32679E-14
【００９２】
非球面データ
第25面
K= 0.00000E+00
A4=-4.64267E-06
A6= 3.20482E-10
A8= 3.90580E-11
A10=-5.83730E-14
A12= 1.56080E-16
【００９３】
各種データ
f     =    34.928
FNO.  =      1.44
2ω   =     66.34
y'max =      21.6
TL    =    141.48
BF    =     23.48
f1    =    79.341
f2    =    63.593
f3    =   254.429
【００９４】
実施例４
単位：mm
面データ
i            r(mm)      d(mm)         Nd        νd
0(OB)           ∞         ∞ 〜259.52
1        18931.519       3.20      1.5168      64.2
2           32.814      24.43
3          -28.665       3.20      1.8467      23.8
4          190.595      10.78      1.8348      42.7
5          -39.035       0.30
6          129.308       7.27      1.9229      20.9
7          -99.038       0.30
8           48.348       3.57      1.8042      46.5
9           58.221       0.30
10          44.196       8.84      1.5928      68.6
11        -160.937       2.40      1.8052      25.5
12         117.347       4.89
13(ST)          ∞       2.80
14          51.208       1.60      1.8467      23.8
15          25.819      12.59 〜6.85
16          43.029       2.17      1.7234      38.0
17          76.039       6.33
18         -27.288       1.30      1.8052      25.5
19         -76.133       1.00
20*        490.049       7.00      1.7308      40.5
21*        -28.327       3.45 〜9.19
22        -182.410       1.60      1.9212      24.0
23          65.301       0.75
24*         61.096       6.42      1.8074      40.4
25*        -80.356      23.50
26(IM)          ∞
【００９５】
非球面データ
第20面
K= 0.00000E+00
A4= 1.07032E-06
A6= 2.10443E-09
A8=-7.08199E-12
A10= 8.42071E-14
【００９６】
非球面データ
第21面
K= 0.00000E+00
A4= 6.44678E-06
A6= 1.06067E-08
A8=-4.43496E-11
A10= 1.59120E-13
【００９７】
非球面データ
第24面
K= 0.00000E+00
A4=-5.84651E-06
A6= 2.02183E-08
A8=-7.43287E-11
A10= 1.91357E-13
【００９８】
非球面データ
第25面
K= 0.00000E+00
A4=-3.49051E-06
A6= 8.72883E-09
A8= 2.49023E-11
A10=-1.73432E-13
A12= 5.39830E-16
【００９９】
各種データ
f     =    35.122
FNO.  =      1.44
2ω   =     66.10
y'max =      21.6
TL    =    139.98
BF    =     23.50
f1    =    87.162
f2    =    58.847
f3    =    213.33
【０１００】
実施例５
単位：mm
面データ
i            r(mm)      d(mm)         Nd        νd
0(OB)           ∞         ∞ 〜259.52
1          235.294       3.20      1.5168      64.2
2           31.299      26.88
3          -26.967       3.20      1.8467      23.8
4        28171.365      10.46      1.8348      42.7
5          -35.435       0.30
6           90.815       7.79      1.9229      20.9
7         -126.369       0.30
8          201.531       2.45      1.8042      46.5
9          217.108       0.30
10          39.977       9.90      1.5928      68.6
11        -111.591       2.40      1.8467      23.8
12         105.778       4.99
13(ST)          ∞       2.91
14          47.654       1.60      1.8052      25.5
15          25.495      12.76 〜6.38
16          37.301       1.71      1.7433      49.2
17          50.867       5.98
18         -26.973       1.30      1.8052      25.5
19         -77.233       1.00
20*        230.304       6.83      1.7308      40.5
21*        -29.024       3.44 〜9.81
22*        741.136       4.71      1.8074      40.4
23*        -55.339       0.50
24         -77.844       1.60      1.9229      20.9
25              ∞      23.51
26(IM)          ∞
【０１０１】
非球面データ
第20面
K= 0.00000E+00
A4= 2.37003E-07
A6=-3.06261E-09
A8= 2.65152E-12
A10= 1.65677E-14
【０１０２】
非球面データ
第21面
K= 0.00000E+00
A4= 5.86403E-06
A6= 7.29923E-10
A8=-3.94280E-13
A10= 2.01840E-14
【０１０３】
非球面データ
第22面
K= 0.00000E+00
A4=-6.05274E-06
A6= 1.74111E-08
A8=-8.78530E-11
A10= 4.15160E-13
A12=-2.97030E-16
【０１０４】
非球面データ
第23面
K= 0.00000E+00
A4=-3.67037E-06
A6= 1.99563E-08
A8=-6.92536E-11
A10= 2.70690E-13
【０１０５】
各種データ
f     =    35.125
FNO.  =      1.44
2ω   =     66.16
y'max =      21.6
TL    =    140.00
BF    =     23.51
f1    =    83.889
f2    =    62.543
f3    =   255.748
【０１０６】
【表１】
0006641968.tif 000002
【符号の説明】
【０１０７】
ＤＵ    デジタル機器
ＬＵ    撮像光学装置
ＬＮ    撮像レンズ
Ｇｒ１    第１レンズ群
Ｇｒ２    第２レンズ群
Ｇｒ３    第３レンズ群
Ｇｒ１Ｆ    前群
Ｇｒ１Ｒ    後群
ＳＴ    絞り（開口絞り）
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
0006641968.tif 000003
【図２】
0006641968.tif 000004
【図３】
0006641968.tif 000005
【図４】
0006641968.tif 000006
【図５】
0006641968.tif 000007
【図６】
0006641968.tif 000008
【図７】
0006641968.tif 000009
【図８】
0006641968.tif 000010
【図９】
0006641968.tif 000011
【図１０】
0006641968.tif 000012
【図１１】
0006641968.tif 000013
【図１２】
0006641968.tif 000014
【図１３】
0006641968.tif 000015
【図１４】
0006641968.tif 000016
【図１５】
0006641968.tif 000017
【図１６】
0006641968.tif 000018
【図１７】
0006641968.tif 000019
【図１８】
0006641968.tif 000020
【図１９】
0006641968.tif 000021
【図２０】
0006641968.tif 000022
【図２１】
0006641968.tif 000023